(57)【要約】【課題】本発明は、タッチスクリーンを有する電子装置におけるテキスト入力方法を提供するためのものである。【解決手段】本発明は、キーパッドと文字入力ウィンドウとを含む画面を表示するステップ、上記画面に表示されたキーパッドを通じて文字の入力を検出時、上記文字と関連した推薦テキストを候補ウィンドウに表示するステップ、上記推薦テキストに対するタッチ入力機構のジェスチャーを検出するステップ、及び上記ジェスチャーに対応するスタイルの推薦テキストを上記文字入力ウィンドウに表示するステップを含むことを特徴とする。【選択図】図３
2014203460.tif 000002
【特許請求の範囲】
【請求項１】
タッチスクリーンを有する電子装置におけるテキスト入力方法であって、
キーパッドと文字入力ウィンドウを含む画面を表示するステップと、
前記キーパッドを通じて文字の入力を検出時、前記文字と関連した推薦テキストを候補ウィンドウに表示するステップと、
前記推薦テキストに対するタッチ入力のジェスチャーを検出するステップと、
前記ジェスチャーに対応するスタイルの推薦テキストを前記文字入力ウィンドウに表示するステップと、
を含むことを特徴とする、テキスト入力方法。
【請求項２】
前記ジェスチャーがタップ及びドラッグのうちの少なくとも１つであるかを決定し、前記ジェスチャーがドラッグであれば、ドラッグ方向に対応するスタイルを決定し、前記ジェスチャーがタップであれば、タップに対応して候補ウィンドウに１つ以上のスタイルが適用されたテキスト候補群を表示することを特徴とする、請求項１に記載のテキスト入力方法。
【請求項３】
前記ジェスチャーが左側方向から右側方向へのドラッグであれば、前記スタイルを下線スタイルに決定し、前記ジェスチャーが左側から右側方向へドラッグ後、また左側方向のドラッグであれば、前記スタイルを太字スタイルに決定し、前記ジェスチャーが対角線方向のドラッグであれば、前記スタイルを斜体スタイルに決定し、前記ジェスチャーが上側方向または下側方向のドラッグであれば、前記ドラッグによってテキストサイズを調節することを特徴とする、請求項２に記載のテキスト入力方法。
【請求項４】
前記ジェスチャーが上側方向または下側方向のドラッグ検出時、予め設定されたしきい値時間の間維持されれば、テキストサイズ調節スライドを表示することを特徴とする、請求項３に記載のテキスト入力方法。
【請求項５】
前記文字入力ウィンドウに表示するステップは、
前記ジェスチャーの移動方向に対応するスタイルが適用されたテキストを表示することを特徴とする、請求項１に記載のテキスト入力方法。
【請求項６】
前記タッチ入力の前記ジェスチャーを検出するステップに、
前記ジェスチャーに対応して前記候補ウィンドウにスタイル候補群を表示するステップと、
前記スタイル候補群から１つの選択を検出するステップと、
をさらに含むことを特徴とする、請求項１に記載のテキスト入力方法。
【請求項７】
前記スタイルは、
フォント、字サイズ、字色、属性のうち、少なくとも１つを含むことを特徴とする、請求項５に記載のテキスト入力方法。
【請求項８】
前記文字入力ウィンドウに表示するステップは、
前記キーパッドに前記検出されたスタイルを適用して表示することを特徴とする、請求項７に記載のテキスト入力方法。
【請求項９】
前記画面を表示するステップは、
前記文字入力ウィンドウにカーソルが表示されれば、候補ウィンドウに文章スタイル候補群を表示することを特徴とする、請求項１に記載のテキスト入力方法。
【請求項１０】
タッチ入力のジェスチャーを検出し、文字入力ウィンドウ及びキーパッドを表示するタッチスクリーンと、
前記タッチスクリーンを制御する制御部と、を含み、
前記制御部は、
前記キーパッドを通じて文字の入力を検出し、前記文字と関連した推薦テキストを候補ウィンドウに表示するように制御し、前記推薦テキストに対するタッチの入力ジェスチャーを検出し、前記ジェスチャーに対応するスタイルのテキストを前記文字入力ウィンドウに表示するように制御することを特徴とする、電子装置。
【請求項１１】
前記制御部は、
前記ジェスチャーがタップ及びドラッグのうちの少なくとも１つであるかを決定し、前記ジェスチャーがドラッグであれば、ドラッグ方向に対応するスタイルを決定し、前記ジェスチャーがタップであれば、タップに対応して候補ウィンドウに１つ以上のスタイルが適用されたテキスト候補群を表示するように制御することを特徴とする、請求項１０に記載の電子装置。
【請求項１２】
前記制御部は、
前記ジェスチャーが左側方向から右側方向へのドラッグであれば、前記スタイルを下線スタイルで表示し、前記ジェスチャーが左側から右側方向へドラッグ後、また左側方向のドラッグであれば、前記スタイルを太字スタイルで表示し、前記ジェスチャーが対角線方向のドラッグであれば、前記スタイルを斜体スタイルで表示し、前記ジェスチャーが上側方向または下側方向のドラッグであれば、前記ドラッグによってテキストサイズを調節して表示するように制御することを特徴とする、請求項１１に記載の電子装置。
【請求項１３】
前記制御部は、
上層方向または下側方向のドラッグが検出されれば、予め設定されたしきい値時間の間維持時、テキストサイズ調節スライドを表示するように制御することを特徴とする、請求項１２に記載の電子装置。
【請求項１４】
前記制御部は、
前記ジェスチャーの移動方向に対応するスタイルが適用されたテキストを前記文字入力ウィンドウに表示するように制御することを特徴とする、請求項１０に記載の電子装置。
【請求項１５】
前記制御部は、
前記ジェスチャーに応答して前記候補ウィンドウにスタイル候補群を表示するように制御し、前記スタイル候補群から１つの選択を検出することを特徴とする、請求項１０に記載の電子装置。
【請求項１６】
前記スタイルは、
フォント、字サイズ、字色、及び属性のうち、少なくとも１つを含むことを特徴とする、請求項１５に記載の電子装置。
【請求項１７】
前記制御部は、
前記キーパッドに前記検出されるスタイルを適用して表示するように制御することを特徴とする、請求項１６に記載の電子装置。
【請求項１８】
前記制御部は、
前記文字入力ウィンドウにカーソルが表示されれば、文章スタイル候補群を表示するように制御することを特徴とする、請求項１０に記載の電子装置。
【発明の詳細な説明】
【技術分野】
【０００１】
本発明は電子装置におけるテキスト入力方法及び装置に関し、特にユーザが簡便にテキストを入力するためのタッチスクリーンを有する電子装置におけるテキスト入力方法及び装置に関する。
【背景技術】
【０００２】
最近、技術が発達するにつれてタッチスクリーンを含む電子装置の使用が徐々に増加している。これによって、電子装置は多様なサービスと機能を提供する。例えば、電話、文字メッセージ、ｅメール（email）、文書作成、カメラ、日程管理など、多様な機能を提供している。多様な機能のうち、特にｅメール及び文書作成機能はテキスト入力を通じて遂行できる。
【０００３】
一方、電子装置は表示部の前面の全体にタッチパネルを配置するフルタッチスクリーン形態の構造を有することができる。ユーザは、タッチスクリーンを操作して電子装置を制御し、テキストを入力することができる。また、電子装置はユーザがテキスト入力時、入力したテキストに基づいてテキスト推薦及びスタイル（例えば、下線、斜体、太字、テキストサイズ調節など）適用機能を提供している。具体的に、ユーザが文字入力時、入力された文字と関連した推薦テキスト候補群が表れれば、候補群からテキストを選択入力し、入力された単語をエディター（editor）からまた選択した後、スタイルを適用することができる。しかしながら、このような機能は多段階を経て入力されるため、使用が煩わしいという問題点がある。
【０００４】
即ち、電子装置のテキスト入力において便利なテキスト入力方式と作成されたテキストに対する簡便なスタイル適用方法が要求されている。
【発明の概要】
【発明が解決しようとする課題】
【０００５】
本発明の目的は、ユーザがテキスト入力するに当たってテキスト入力及びスタイル適用を多段階を経ないで簡便に遂行することができるようにテキスト入力する方法及び装置を提供することにある。
【課題を解決するための手段】
【０００６】
上記のような目的を達成するために、本発明はキーパッドと文字入力ウィンドウを含む画面を表示するステップ、上記画面に表示されたキーパッドを通じて文字の入力を検出時、上記文字と関連した推薦テキストを候補ウィンドウに表示するステップ、上記推薦テキストに対するタッチ入力機構のジェスチャーを検出するステップ、及び上記ジェスチャーに対応するスタイルの推薦テキストを上記文字入力ウィンドウに表示するステップを含む。
【０００７】
上記のような目的を達成するために、本発明はタッチ入力機構のジェスチャーを検出し、文字入力ウィンドウ及びキーパッドを表示するタッチスクリーン、上記キーパッドを通じて文字の入力を検出し、上記文字と関連した推薦テキストを候補ウィンドウに表示するように制御し、上記推薦テキストに対するタッチ入力機構のジェスチャーを検出し、上記ジェスチャーに対応するスタイルのテキストを上記文字入力ウィンドウに表示するように制御する制御部から構成される。
【発明の効果】
【０００８】
以上、説明したように、本発明はユーザの文字入力により推薦テキスト候補群が提供され、ジェスチャーを通じてのスタイル適用まで簡便に入力することができるユーザインターフェースを提供することができる。
【０００９】
また、本発明は簡便に入力できるユーザインターフェースを提供することによって、テキスト入力時間を短縮させて電子装置の使用を増大させる長所がある。
【００１０】
また、本発明は入力されるスタイルがキーパッドのキーラベルに反映されて表示されるので、どんなスタイルで入力されるかを予め知ることができる利点がある。
【図面の簡単な説明】
【００１１】
【図１】本発明の実施形態に従う携帯端末の構成を示すブロック図である。
【図２】テキスト入力をサポートする画面を示す例示図である。
【図３】本発明の実施形態に従うテキスト入力方法を説明するためのフローチャートである。
【図４】本発明の実施形態に従うドラッグを用いてテキストスタイルを適用する方法を説明するためのフローチャートである。
【図５】文章スタイルを適用する例を説明するための例示図である。
【図６ａ】検出されたドラッグに従うテキストスタイルを適用する例を説明するための例示図である。
【図６ｂ】検出されたドラッグに従うテキストスタイルを適用する例を説明するための例示図である。
【図６ｃ】検出されたドラッグに従うテキストスタイルを適用する例を説明するための例示図である。
【図６ｄ】検出されたドラッグに従うテキストスタイルを適用する例を説明するための例示図である。
【図７ａ】検出されたタップに従うテキストスタイルを適用する例を説明するための例示図である。
【図７ｂ】検出されたタップに従うテキストスタイルを適用する例を説明するための例示図である。
【図７ｃ】検出されたタップに従うテキストスタイルを適用する例を説明するための例示図である。
【発明を実施するための形態】
【００１２】
以下、添付した図面を参照して本発明の多様な実施形態を詳細に説明する。この際、添付した図面で同一な構成要素はできる限り同一な符号で表していることに留意しなければならない。また、本発明の要旨を曖昧にすることがある公知機能及び構成に対する詳細な説明は省略する。
【００１３】
一方、本明細書及び図面に開示された本発明の実施形態は、本発明の技術内容を易く説明し、本発明の理解を助けるために特定の例を提示したものであり、本発明の範囲を限定しようとするものではない。ここに開示された実施形態の他にも本発明の技術的思想に基づいた他の変形例が実施可能であるということは、本発明が属する技術分野で通常の知識を有する者に自明である。
【００１４】
詳細な説明の前に、本発明における電子装置は、移動通信端末機、スマートフォン（Smart Phone）、タップレットＰＣ（Personnel Computer）、ハンド−ヘルド（hand-held）ＰＣ、携帯マルチメディアプレーヤー（Portable Multimedia Player：ＰＭＰ）、個人情報端末機（Personal Digital Assistant：ＰＤＡ）、ノートブック（Notebook PC）、デスクトップＰＣなどになることができる。
【００１５】
図１は、本発明の実施形態に従う携帯端末の構成を示すブロック図である。
【００１６】
図１を参照すると、本発明の携帯端末１００は、無線通信部１１０、格納部１２０、タッチスクリーン１３０、及び制御部１４０を含むことができる。
【００１７】
上記無線通信部１１０は、制御部１４０の制御下に、ネットワークを介して外部装置と音声通話、画像通話、またはデータ通信を遂行する。無線通信部１１０は、送信される信号の周波数を上向き変換及び増幅するＲＦ送信機と、受信される信号を低雑音増幅し、周波数を下向き変換するＲＦ受信機などで構成できる。また、無線通信部１１０は移動通信モジュール（例えば、３世代（3-Generation）移動通信モジュール、３．５（3.5-Generation）世代移動通信モジュール、または４（4-Generation）世代移動通信モジュールなど）、ディジタル放送モジュール（例えば、ＤＭＢモジュール）、及び近距離通信モジュール（例：ワイファイ（Wi-Fi）モジュール、ブルートゥース（bluetooth）モジュール、ＮＦＣ（Near Field Communication））モジュールを含む。
【００１８】
格納部１２０は、携帯端末１００の動作に必要なプログラム及びデータを格納し、プログラム領域とデータ領域とに区分できる。プログラム領域は、携帯端末１００の全般的な動作を制御するプログラム及び携帯端末１００をブーティングさせる運営体制（ＯＳ：Operating System）、マルチメディアコンテンツ再生などに必要なアプリケーション、携帯端末１００のその他のオプション機能、例えばカメラ機能、音再生機能、イメージまたは動映像再生機能に必要な応用プログラムなどを格納することができる。データ領域は携帯端末１００の使用によって発生するデータが格納される領域であって、イメージ、動映像、フォンブック、オーディオデータなどを格納することができる。
【００１９】
特に、本発明において、格納部１２０は入力文字と関連したテキストを推薦するためのテキストデータベースを含むことができる。そして、格納部１２０は候補ウィンドウに推薦テキスト候補群表示からスタイル候補群表示に転換するプログラムを格納することができる。また、格納部１２０はユーザのジェスチャー動作にマッピングされるテキストスタイル情報を格納することができる。
【００２０】
タッチスクリーン１３０は、表示部１３１とタッチパネル１３２とを含んで構成される。タッチパネル１３２は、表示部１３１に安着（place on the display unit）できる。具体的に、タッチパネル１３２は表示部１３１の上に位置するアドオンタイプ（add-on type）や表示部１３１内に挿入されるオンセルタイプ（on-cell type）、またはインセルタイプ（in-cell type）で具現できる。
【００２１】
表示部１３１は、制御部１４０の制御下に携帯端末１００の利用に従う多様な画面、例えばロック画面、ホーム画面、アプリの実行画面、キーパッド画面などを表示することができる。上記表示部１３１は、液晶表示装置（Liquid Crystal Display：ＬＣＤ）、ＯＬＥＤ（Organic Light Emitted Diode）、ＡＭＯＬＥＤ（Active Matrix OLE Diode）、またはフレキシブルディスプレイ（Flexible display）で構成できる。
【００２２】
特に、本発明において、表示部１３１は制御部１４０の制御下に、文字入力ウィンドウ、文字入力のためのキーパッド、及び上記文字と関連した推薦テキスト候補群を表示する候補ウィンドウを提供することができる。また、文字入力ウィンドウはキーパッドを通じて入力されるテキスト及び候補ウィンドウから検出されたジェスチャー動作に対応するスタイルを表示することができる。上記スタイルは、フォント、字サイズ、字色、属性などを含むことができる。上記フォントは、クリム（gulim）体、トドゥム（dotum）体、宮書（gungseo）体、バタン（batang）体などを含むことができるが、これに限定するものではない。上記属性は、太字、斜体、下線、取消線、外郭線、影、陽刻、陰刻、上付き添字、下付き添字などを含むことができるが、これに限定するものではない。
【００２３】
タッチパネル１３２は、手ジェスチャーを感知する手タッチパネルとペンジェスチャーを感知するペンタッチパネルとを含んで構成された複合タッチパネルでありうる。ここで、手タッチパネルは静電容量方式（capacitive type）で構成される。勿論、手タッチパネルは抵抗膜方式（resistive type）、赤外線方式、または超音波方式で構成されることもできる。また、手タッチパネルはユーザの手ジェスチャーのみによりタッチイベントを発生するものではなく、他の物体（例：静電容量変化を加えることができる伝導性材質の物体）によってもタッチイベントを生成することができる。ペンタッチパネルは、電子誘導方式（electromagnetic induction type）で構成できる。これによって、ペンタッチパネルは磁場を形成することができるように特殊製作されたタッチ用スタイラスペンによりタッチイベントを生成する。上記ジェスチャーは、タッチ（Touch）及びタッチジェスチャー（Touch Gesture）に区分される。また、タッチジェスチャーはタップ（Tap）、ダブルタップ（Double Tap）、ロングタップ（Long Tap）、ドラッグ（Drag）、ドラッグアンドドロップ（Drag & Drop）、フリック（Flick）、プレス（Press）、及びロングプレス（Long Press）を含むことができる。
【００２４】
特に、本発明において、タッチパネル１３２は、ユーザのタッチ、タップ、ドラッグ、複合ドラッグ、及びロングプレスを検出することができる。具体的に、タッチはユーザがタッチスクリーン１３０のある一地点にタッチ入力機構（例：指やスタイラスペン）を用いて接触するジェスチャーであり、タップはタッチスクリーン１３０のある一地点にタッチ入力機構がタッチされた後、移動無しで該当地点でタッチ解除（touch-off）されるジェスチャーであり、ドラッグはある一地点をタッチした状態でタッチ入力機構を所定の方向に移動させるジェスチャーであり、ロングプレスはタッチスクリーン１３０のある一地点をタッチ入力機構でタッチした後、該当地点を長く押すジェスチャーである。
【００２５】
制御部１４０は、携帯端末１００の全般的な動作及び携帯端末１００の内部構成の間の信号流れを制御し、データを処理する機能を遂行し、バッテリーから上記構成への電源供給を制御する。制御部１４０は、ＣＰＵ（central processing unit）及びＧＰＵ（graphic processing unit）などを含む。周知の通り、ＣＰＵは資料の演算及び比較と、命令語の解釈及び実行などを遂行するコンピュータシステムの核心的な制御ユニットである。ＧＰＵは、ＣＰＵの代わりをして、グラフィックと関連した資料の演算及び比較と、命令語の解釈及び実行などを遂行するグラフィック制御ユニットである。ＣＰＵとＧＰＵは、各々２つ以上の独立コア（例：クァッドコア（quad-core））が単一集積回路からなる１つのパッケージ（package）に統合できる。また、ＣＰＵとＧＰＵは１つのチップに統合（ＳｏＣ：System on Chip）されたものでありうる。また、ＣＰＵとＧＰＵはマルチレイヤ（multilayer）にパッケージング（packaging）されたものであることもある。一方、ＣＰＵ及びＧＰＵを含む構成はＡＰ（Application Processor）と称されることもできる。
【００２６】
特に、本発明において、制御部１４０は表示部１３１に表示されたキーパッドから入力された文字と関連した推薦テキスト候補群を候補ウィンドウに表示するように制御することができる。そして、制御部１４０は入力位置を表すカーソルの位置によって候補ウィンドウに文章スタイル候補群を表示することができる。そして、制御部１４０は上記文章スタイル候補群から選択されたスタイルが適用されたテキストを文字入力ウィンドウに表示することができる。また、制御部１４０は推薦テキスト候補群でタッチ入力機構によるタッチ入力のようなジェスチャー（例：ドラッグ、タップなど）を区分し、これに対応するスタイル入力及び表示を制御することができる。また、制御部１４０は入力しているスタイルがキーパッドのキーラベルに反映されて表示するように制御することができる。
【００２７】
一方、上記図１に図示してはいないが、上記携帯端末１００は位置情報受信のためのＧＰＳ（Global Positioning System）モジュール、放送受信のための放送受信モジュール、ＭＰ３モジュールのようなディジタル音源再生モジュール、イメージまたは動映像撮影または画像通話のためのカメラモジュールなどの付加機能を有する構成要素を選択的にさらに含むことができる。このような構成要素は、ディジタル機器のコンバージェンス（convergence）趨勢によって変形が非常に多様であるので、全て列挙することはできないが、本発明に従う携帯端末１００は上記言及された構成要素と同等な水準の構成要素をさらに含むことができる。
【００２８】
図２は、テキスト入力をサポートする画面を示す例示図である。
【００２９】
図２を参照すると、本発明のテキスト入力をサポートする画面は、文字入力ウィンドウ２１１、候補ウィンドウ２１３、及びキーパッド２１５に区分できる。上記テキスト入力をサポートする画面は、文字メッセージ及びｅメール作成、メッセンジャーダイアログウィンドウなど、テキスト入力をサポートする全ての画面を含むことができる。文字入力ウィンドウ２１１は、ユーザのジェスチャー検出に対応して文字及びスタイルを表示する領域である。キーパッド２１５は、制御部１４０の制御下にユーザのジェスチャーを検出して、上記ジェスチャーが検出される位置の文字を入力することができる。候補ウィンドウ２１３は、制御部１４０の制御下に入力文字と関連した推薦テキスト候補群を表示することができる。また、候補ウィンドウ２１３に表示された推薦テキストでユーザのジェスチャーを検出してテキスト及びスタイルを入力することができる。
【００３０】
図３は、本発明の実施形態に従うテキスト入力方法を説明するためのフローチャートである。
以下、図５及び図７ａから図７ｃを参照して詳細に説明する。
【００３１】
図５は、文章スタイルを適用する例を説明するための例示図である。
【００３２】
図７ａから図７ｃは、検出されたタップに従うテキストスタイルを適用する例を説明するための例示図である。
【００３３】
図３を参照すると、制御部１４０はタッチパネル１３２を通じてテキスト入力画面に対応するアプリ選択を検出することができる。ここで、アプリは、文字アプリ、メールアプリ、メッセンジャーアプリなどを含むことができる。アプリ選択が検出されれば、制御部１４０はアプリを実行し、アプリ実行画面を表示部１３１に表示するように制御することができる。次に、制御部１４０はテキスト入力をサポートする画面を表示部１３１に表示するように制御することができる。上記したように、ここで、上記テキスト入力をサポートする画面は、文字及び／又はｅメール作成画面、メッセンジャーダイアログウィンドウなどを含むことができる。そして、制御部１４０はタッチパネル１３２を通じてテキスト入力要請を検出することができる。上記テキスト入力要請に応答して制御部１４０は、ステップ３０１で文字入力ウィンドウ２１１、候補ウィンドウ２１３、及びキーパッド２１５を表示部１３１に表示するように制御することができる。この際、制御部１４０は候補ウィンドウ２１３で発生するジェスチャー動作及びジェスチャー動作に対応するスタイルを説明した案内ウィンドウを表示部１３１に表示するように制御することができる。また、制御部１４０はテキスト入力要請に応答して入力位置を表すカーソルを文字入力ウィンドウ２１１に表示するように制御することができる。カーソルが表示されれば、制御部１４０は図５のように文章スタイル候補群５０１を候補ウィンドウ２１３に表示することができる。上記表示された文章スタイル候補群５０１からジェスチャーが検出されれば、制御部１４０は入力されるテキストに上記ジェスチャーが検出された位置のスタイルを適用して文字入力ウィンドウ２１１に表示することができる。一方、文章スタイルはユーザにより変更可能である。次に、制御部１４０はステップ３０３でタッチパネル１３２を通じてキーパッド２１５でタッチ入力機構のタッチ入力を検出することができる。上記検出されたタッチ入力機構のタッチに対応して制御部１４０はステップ３０５で文字入力ウィンドウ２１１にキーパッド２１５で感知されるタッチ位置の文字を表示するように制御することができる。また、制御部１４０は文字入力ウィンドウ２１１に入力された文字と関連した推薦テキストをテキストデータベースから抽出して候補ウィンドウ２１３に表示するように制御することができる。例えば、ユーザがタッチ入力機構を用いてキーパッド２１５で文字”Ｇ”をタップ入力した場合、上記タップ入力に対応して制御部１４０は文字入力ウィンドウ２１１に“Ｇ”を表示することができる。この際、制御部１４０はテキストデータベースで“Ｇ”に対応する関連した推薦テキストを抽出して候補ウィンドウ２１３に表示することができる。次に、ユーザがタッチ入力機構を用いてキーパッド２１５で“ｒ”をタップ入力した場合、上記タップ入力に対応して制御部１４０は文字入力ウィンドウ２１１に“Ｇｒ”を表示することができる。また、制御部１４０はテキストデータベースで“Ｇｒ”に対応する関連した推薦テキストを抽出して候補ウィンドウ２１３に表示することができる。同一な方法により、ユーザがタッチ入力機構を用いてキーパッド２１５で“ｅ”、“ａ”、及び“ｔ”を順次にタップ入力した場合、上記タップ入力に対応して制御部１４０は文字入力ウィンドウ２１１に“Great”を表示することができる。また、制御部１４０はテキストデータベースで“Great”と関連した推薦テキストを抽出して候補群５０１に該当する“Great、Greater、Greatest”テキストを候補ウィンドウ２１３に表示することができる。
【００３４】
次に、推薦テキスト候補群５０１が表示されれば、制御部１４０はステップ３０７で推薦テキスト候補群でタッチパネル１３２を通じてタッチ入力機構のジェスチャー（例えば、ドラッグ）を検出することができる。検出されたジェスチャーがドラッグであれば、制御部１４０はステップ３０９でドラッグ方向に対応するスタイルを入力されるテキストに適用して文字入力ウィンドウ２１１に表示することができる。ドラッグ方向が左側から右側方向にドラッグが検出されれば、下線スタイルが適用されたテキストを表示することができ、対角線方向にドラッグが検出されれば、斜体スタイルが適用されたテキストを表示することができ、ドラッグ方向が左側から右側方向にドラッグ後、また左側方向にドラッグが検出されれば、太字スタイルが適用されたテキストを表示することができ、上側方向または下側方向にドラッグが検出されれば、テキストサイズを予め入力されたテキストサイズより大きく、またはより小さく調節されたテキストを表示することができる。しかしながら、これに限定されるものではない。
【００３５】
図３のステップ３０９の具体的な遂行段階は図４及び図６ａから図６dを参照して説明する。
【００３６】
図４は、本発明の実施形態に従うドラッグを用いてテキストスタイルを適用する方法を説明するためのフローチャートである。
【００３７】
図６ａから図６ｄは、検出されたドラッグに従うテキストスタイルを適用する例を説明するための例示図である。
【００３８】
図４を参照すると、制御部１４０はステップ４０１で推薦テキスト候補群で左側から右側方向へのドラッグが検出されるか否かを決定する。左側から右側方向へドラッグが発生すれば、制御部１４０はステップ４０３で文字入力ウィンドウ２１１に下線スタイルが適用されたテキストを表示することができる。この際、キーパッドのキーラベルは下線スタイルが反映されて表示できる。例えば、図６ａを参照すると、候補ウィンドウ２１３に表示された推薦テキスト候補群“Great”で６０１のようにユーザがタッチ入力機構を用いて左側から右側方向へドラッグ動作が発生すれば、上記ドラッグ動作に対応して６０３のように文字入力ウィンドウ２１１に下線スタイルが適用された“Great”を入力することができる。また、キーパッドキーラベルは６０５のように下線スタイルが反映されて表示できる。
【００３９】
一方、左側から右側方向へのドラッグが検出されなければ、制御部１４０はステップ４０５で左側下段から右側上段方向へ対角線ドラッグが検出されるか否かを決定することができる。上記対角線方向にドラッグ動作が発生すれば、制御部１４０はステップ４０７で文字入力ウィンドウ２１１に斜体スタイルが適用されたテキストを表示することができる。この際、キーパッドキーラベルは斜体スタイルが反映されて表示できる。例えば、図６ｂを参照すると、候補ウィンドウ２１３に表示された推薦テキスト候補群“Great”で６０７のようにユーザがタッチ入力機構を用いて対角線方向にドラッグ動作が発生すれば、上記ドラッグ動作に対応して６０９のように文字入力ウィンドウ２１１に斜体スタイルが適用された“Great”を入力することができる。また、キーパッドキーラベルは６１１のように斜体スタイルが反映されて表示できる。
【００４０】
上記ステップ４０５で対角線方向へのドラッグが検出されなければ、制御部１４０はステップ４０９で左側から右側方向へドラッグ後、また左側方向にドラッグが検出されるか否かを決定する。上記ドラッグ動作が発生すれば、制御部１４０はステップ４１１で文字入力ウィンドウ２１１に太字スタイルが適用されたテキストを表示することができる。この際、キーパッドキーラベルは太字スタイルが反映されて表示できる。例えば、図６ｃを参照すると、候補ウィンドウ２１３に表示された推薦テキスト候補群“Great”で６１３のようにユーザがタッチ入力機構を用いて左側から右側方向へドラッグ後、また左側方向にドラッグ動作が発生すれば、上記ドラッグ動作に対応して６１５のように文字入力ウィンドウ２１１に太字スタイルが適用された“Great”を入力することができる。また、キーパッドキーラベルは６１７のように太字スタイルが反映されて表示できる。
【００４１】
上記左側から右側方向へドラッグ後、また左側方向にドラッグが検出されなければ、制御部１４０はステップ４１３で上側方向または下側方向にドラッグが検出されるか否かを決定する。上側方向または下側方向にドラッグ動作が発生すれば、制御部１４０は文字入力ウィンドウ２１１にテキストサイズを調節して表示することができる。即ち、表示されたテキストサイズより一段階大きく、または一段階小さく調節されて表示するように制御することができる。この際、上側方向または下側方向へのドラッグ後、ロングプレスジェスチャーが発生すれば、制御部１４０はロングプレスが検出された地点にテキストサイズ調節スライドを表示することができる。テキストサイズ調節スライドが表示されれば、制御部１４０は上側方向または下側方向へのドラッグ動作を通じて文字入力ウィンドウ２１１に入力されたテキストサイズがより大きく、またはより小さく調節されて表示するように制御することができる。例えば、図６ｄを参照すると、候補ウィンドウ２１３に表示された推薦テキスト“Great”でユーザがタッチ入力機構を用いて上側方向にドラッグ動作した場合、上記ドラッグ動作に対応して６２１のように文字入力ウィンドウ２１１にテキストサイズがより大きく適用されて表示できる。そして、ロングプレスが発生すれば、６１９のようにテキストサイズ調節スライドが表示できる。上記テキストサイズ調節スライドで上側方向または下側方向にドラッグ動作が発生した場合、上記ドラッグ動作に対応して文字入力ウィンドウ２１１にテキストサイズをより大きく、またはより小さく適用して表示することができる。
【００４２】
また、図３の説明に戻って、制御部１４０はステップ３１１で候補ウィンドウ２１３に表示された推薦テキスト候補群でタッチパネル１３２を通じてユーザのジェスチャー（例えば、タップ）を検出することができる。上記検出されたジェスチャーがタップであれば、制御部１４０はステップ３１３で上記検出されたタップに対応して候補ウィンドウ２１３にさまざまなスタイルが適用されたテキスト候補群に転換されて表示するように制御することができる。制御部１４０は、ステップ３１５で上記候補ウィンドウ２１３に表示されたさまざまなスタイルのテキスト候補群でタッチパネル１３２を通じてタップを検出することができる。また、制御部１４０はキーパッドキーラベルが上記検出されたスタイルで表示されるように制御することができる。
【００４３】
例えば、図７ａから図７ｃを参照すると、ユーザがタッチ入力機構を用いてキーパッド２１５で文字“Ｇ”をタップ入力した場合、上記タップ入力に対応して制御部１４０は文字入力ウィンドウ２１１に“Ｇ”を表示することができる。また、制御部１４０はテキストデータベースで“Ｇ”に対応する関連した推薦テキストを抽出して候補ウィンドウ２１３に表示することができる。同一な方法により、ユーザがタッチ入力機構を用いてキーパッド２１５で“ｒ”、“ｅ”を順次にタップ入力した場合、上記タップ入力に対応して制御部１４０は７０１のように文字入力ウィンドウ２１１に“Gre”を表示することができる。また、制御部１４０はテキストデータベースで“Gre”と関連した推薦テキストを抽出して７０３のように候補群である“Great、Greeting、Grey”テキストを候補ウィンドウ２１３に表示することができる。上記候補ウィンドウ２１３に表示された推薦テキスト候補群のうち、“Great”テキストで７０４のようにタップ入力されれば、上記タップ入力に対応して７０５のようにさまざまなスタイルが適用された“Great”スタイル候補群を表示する候補ウィンドウ２１３に転換されて表示することができる。この際、上記さまざまなスタイルが適用された“Great”で７０６のように下線スタイルの“Great”をタップ入力した場合、７０７のように文字入力ウィンドウ２１１に下線スタイルの“Great”が入力できる。また、７１１のようにキーパッドキーラベルは下線スタイルを反映して表示することができる。
【００４４】
以上のように、本発明に従うタッチスクリーンを有する電子装置において、テキスト入力方法及び装置について本明細書及び図面を通じて好ましい実施形態を挙げて説明したものであり、たとえ特定用語が使われたが、これは単に本発明の技術内容を易く説明し、発明の理解を助けるために一般的な意味として使われたものであり、本発明が前述した実施形態に限定されるものではない。即ち、本発明の技術的思想に基づいた多様な実施形態が可能であることは本発明が属する技術分野で通常の知識を有する者に自明である。
【符号の説明】
【００４５】
１００    携帯端末
１１０    無線通信部
１２０    格納部
１３０    タッチスクリーン
１３１    表示部
１３２    タッチパネル
１４０    制御部
【図１】
2014203460.tif 000003
【図３】
2014203460.tif 000004
【図４】
2014203460.tif 000005
【図２】
2014203460.tif 000006
【図５】
2014203460.tif 000007
【図６ａ】
2014203460.tif 000008
【図６ｂ】
2014203460.tif 000009
【図６ｃ】
2014203460.tif 000010
【図６ｄ】
2014203460.tif 000011
【図７ａ】
2014203460.tif 000012
【図７ｂ】
2014203460.tif 000013
【図７ｃ】
2014203460.tif 000014